(57)【要約】【課題】映像コンテンツの予約処理を好適に管理することのできる電子機器、予約管理システム、及び予約管理方法を提供することを課題とする。【解決手段】  実施形態の電子機器は第１のサブネットワーク内の第１の端末装置と、前記第１のサブネットワークとは異なる第２のサブネットワーク内の第２の端末装置とネットワークを介して通信可能な電子機器であって、制御部を有する。制御部は前記第１の端末装置での録画処理の予約を取り消し、前記第２の端末装置に前記第１の端末装置で予約されていた前記録画処理を実行させる。【選択図】図６
2012212981.tif 000002
【特許請求の範囲】
【請求項１】
第１のサブネットワーク内の第１の端末装置と、前記第１のサブネットワークとは異なる第２のサブネットワーク内の第２の端末装置とネットワークを介して通信可能な電子機器であって、
前記第１の端末装置での録画処理の予約を取り消し、前記第２の端末装置に前記第１の端末装置で予約されていた前記録画処理を実行させる制御部を有する電子機器。
【請求項２】
前記第１のサブネットワークで使用される帯域に基づいて、前記第１の端末装置での録画予約取り消し、及び第２の端末装置での録画処理を実行させるか否かを判別する判別部を、さらに有する請求項１記載の電子機器。
【請求項３】
前記制御部は、前記録画処理の実行後、録画した映像コンテンツの第１の端末装置への移動処理を第２の装置に実行させる請求項１記載の電子機器。
【請求項４】
前記移動処理はムーブ処理である請求項３記載の電子機器。
【請求項５】
第１のサブネットワーク内の第１の端末装置と、前記第１のサブネットワークとは異なる第２のサブネットワーク内の第２の端末装置と、サーバとを具備する予約管理システムであって、
前記第１の端末は、前記サーバからの指示に基づいて録画処理の予約を取り消し、
前記第２の端末は、前記サーバからの指示に基づいて前記第１の端末装置で予約されていた前記録画処理を実行する予約管理システム。
【請求項６】
第１のサブネットワーク内の第１の端末装置と、前記第１のサブネットワークとは異なる第２のサブネットワーク内の第２の端末装置とネットワークを介して通信可能な電子機器が実行する予約管理方法であって、
前記第１の端末装置での録画処理の予約を取り消し、前記第２の端末装置に前記第１の端末装置で予約されていた前記録画処理を実行させる予約管理方法。
【発明の詳細な説明】
【技術分野】
【０００１】
本発明の実施形態は、電子機器、予約管理システム、及び予約管理方法に関する。
【背景技術】
【０００２】
近年の技術発展により、例えばIP網のようなネットワークを介して、映像コンテンツの配信が行われている。この中にはＩＰ（Internet Protocol）放送と呼ばれ、IP網を用いて、映像コンテンツを所定の時間に配信するサービスが存在する。これを利用すると、ユーザはこのＩＰ放送によって所定の時間に配信される映像コンテンツを視聴したり、録画したりできる。
【０００３】
ユーザがネットワークを利用し、上述のような映像コンテンツ配信を受ける場合には、一般的に例えばデジタルテレビ、ＳＴＢ（Set Top Box）、またはＰＣ（Personal Computer）等を利用する場合が多く、これらの多くは宅内に備え付けられている。これらの機器は宅内のサブネットワークに属している場合が多く、宅内のサブネットワークは一般的にルータ等の機器によって宅外のネットワークと接続される。
【０００４】
同一サブネットワーク内で使用可能な帯域には上限があり、例えばユーザが同時刻に複数の映像コンテンツを受信しようとしても、使用する帯域が同一サブネットワーク内で使用可能な帯域の上限値以上である場合には、ユーザは全ての映像コンテンツを受信することができない場合があった。
【先行技術文献】
【特許文献】
【０００５】
【特許文献１】特開２００６−２６８９３８号公報
【発明の概要】
【発明が解決しようとする課題】
【０００６】
本発明は上記に鑑みて提案されたものであり、映像コンテンツの予約処理を好適に管理することのできる電子機器、予約管理システム、及び予約管理方法を提供することを課題とする。
【課題を解決するための手段】
【０００７】
実施形態の電子機器は第１のサブネットワーク内の第１の端末装置と、前記第１のサブネットワークとは異なる第２のサブネットワーク内の第２の端末装置とネットワークを介して通信可能な電子機器であって、制御部を有する。制御部は前記第１の端末装置での録画処理の予約を取り消し、前記第２の端末装置に前記第１の端末装置で予約されていた前記録画処理を実行させる。
【図面の簡単な説明】
【０００８】
【図１】実施形態における予約管理システムの一例を示す概念図。
【図２】実施形態における受信装置Ａ−１の映像コンテンツ予約機能にかかる機能構成の一例を示すブロック図。
【図３】実施形態における予約管理サーバの機能構成の一例を示すブロック図。
【図４】実施形態における機器ＩＤグループ管理テーブルの内容の一例を示す概念図。
【図５】実施形態におけるある時点での録画・視聴予約テーブルの一例を示す概念図。
【図６】本実施形態における予約管理処理の一例を示すフロー図。
【図７】実施形態におけるある時点での録画・視聴予約テーブルの一例を示す概念図。
【図８】実施形態におけるある時点での録画・視聴予約テーブルの一例を示す概念図。
【図９】実施形態におけるある時点での録画・視聴予約テーブルの一例を示す概念図。
【図１０】実施形態におけるある時点での録画・視聴予約テーブルの一例を示す概念図。
【図１１】実施形態におけるある時点での録画・視聴予約テーブルの一例を示す概念図。
【発明を実施するための形態】
【０００９】
以下にて図面を参照しながら実施の形態について説明を行う。
【００１０】
図１は本実施形態における予約管理システムの一例を示す概念図である。
【００１１】
本実施形態における予約管理システム１２は、コンテンツサーバ１が映像コンテンツを配信し、この映像コンテンツを受信装置Ａ−１（６）乃至Ｂ−２（１１）が受信して視聴又は録画するシステムである。
【００１２】
コンテンツサーバ１はコンテンツを配信（送信）する機能を有している。本実施形態における映像コンテンツとは、映像データと音声データを含むひとまとまりのデータを指し、例えば放送されるコンテンツ等を指す。コンテンツサーバ１はコンテンツ配信事業者（プロバイダ）等が管理しており、コンテンツ配信事業者によって登録されている機器に対してネットワーク３を介して映像コンテンツをマルチキャストにて配信（送信）する。
【００１３】
予約管理サーバ２は受信装置Ａ−１（６）等の端末機器の映像コンテンツの録画／視聴予約を管理する機能を有している。この予約管理サーバ２もコンテンツ配信事業者が管理しており、登録されている機器の録画／視聴の状態を監視し、ネットワークの帯域制限により映像コンテンツをそのまま送信することが好適でない場合には、登録されている端末機器の録画／視聴を制御する機能を有している。
【００１４】
ネットワーク３は、例えばインターネット等の大規模ネットワークである。
【００１５】
ルータＡ４及びルータＢ８は、例えば各家庭に設置されているブロードバンドルータであって、受信したデータをルーティングする機能を有している。ルータＡ４及びルータＢ８は受信装置Ａ−１（６）乃至Ｂ−２（１１）からのJOINメッセージによりマルチキャストストリームをサブネットへ転送し、受信装置Ａ−１（６）乃至Ｂ−２（１１）からのLEAVEメッセージによりマルチキャストストリームサブネットへの転送を停止する。
【００１６】
サブネットＡ５及びサブネットＢ９は例えば宅内のネットワークであって、サブネットＡ５は宅内に存在する受信装置Ａ−１（６）、受信装置Ａ−２（７）、及びルータＡ４を通信可能としている。また、サブネットＢ９は宅内に存在する受信装置Ｂ−１（１０）、受信装置Ｂ−２（１１）、及びルータＢ８を通信可能としている。
【００１７】
受信装置Ａ−１（６）乃至Ｂ−２（１１）はコンテンツサーバ１より映像コンテンツを受信し、このコンテンツを表示または録画（記録）する機能を有している。受信装置Ａ−１（６）乃至Ｂ−２（１１）は受信した映像コンテンツをユーザの視聴に供されるように表示したり、ユーザが好みの時間に視聴できるように映像コンテンツを録画（記録）したりする。本実施形態において、受信装置Ａ−１（６）乃至Ｂ−２（１１）としては、ＤＴＶ（Digital Television）、ＳＴＢ、ＤＶＤ（Digital Versatile Disk）レコーダ、ＨＤＤ（Hard Disk Drive）レコーダ、ＰＣ等が例として考えられる。
【００１８】
本実施形態における受信装置Ａ−１（６）乃至Ｂ−２（１１）は、映像コンテンツの予約機能についてほぼ同様の機能及び構成を有しているものとする。次に、受信装置Ａ−１（６）を代表として、これらの機能構成について説明を行う。
【００１９】
図２は本実施形態における受信装置Ａ−１（６）の映像コンテンツ予約機能にかかる機能構成の一例を示すブロック図である。
【００２０】
上述のように、本実施形態における受信装置Ａ−１（６）乃至Ｂ−２（１１）の映像コンテンツ予約機能にかかる機能構成については受信装置Ａ−１（６）を代表して説明し、他の受信装置について同様の構成を有しているものとして、説明を割愛する。
【００２１】
受信装置Ａ−１（６）は予約管理部６１、記憶部６２、及び予約実行部６３を有している。
【００２２】
予約管理部６１はコンテンツサーバ１から配信される映像コンテンツの視聴／録画予約を管理する機能を有している。
【００２３】
コンテンツサーバ１は、例えば放送局より放送波によって提供されているテレビ番組と同様の番組の映像コンテンツをこの放送と同時刻にユーザが視聴できるように配信する。ユーザは受信した映像コンテンツを視聴／録画することができるが、本実施形態における受信装置Ａ−１（６）は、この視聴／録画を予約する機能を有している。つまり、ユーザからの視聴／録画予約の指示に基づいて、コンテンツサーバ１より映像コンテンツを受信し、これを表示／記録することができる。予約管理部６１は受信装置Ａ−１（６）内のこの視聴／録画の予約を管理している。予約管理部６１はユーザからの指示に基づいて、今後の予約の管理リストを作成し、これを記憶部６２に記憶させておき、予約を実行する時刻となったら、予約実行部６３に予約された表示／記録を実行させる機能を有している。また、予約管理部６１はユーザからの受信装置Ａ−１（６）への指示以外の指示にも基づいて予約を変更する機能を有している。予約管理部６１は予約管理サーバ２からの予約変更指示に基づいて、記憶部６２に記憶された予約の管理リストを更新する機能を有している。
【００２４】
記憶部６２は、揮発性／不揮発性の記憶媒体であり予約の管理リストを有している。また、録画された映像コンテンツ等が格納されている。
【００２５】
予約実行部６３は、予約管理部６１からの指示に基づいて、予約された映像コンテンツの表示／記録を実行する機能を有している。予約実行部６３は、ユーザが所定の映像コンテンツの視聴予約を行っていた場合には、この映像コンテンツを受信し、これを表示部に表示し、録画予約を行っていた場合には、この映像コンテンツを受信し、これを記憶部６２に記録する。
【００２６】
次に予約管理サーバ２について説明を行う。
【００２７】
図３は本実施形態における予約管理サーバ２の機能構成の一例を示すブロック図である。
【００２８】
予約管理サーバ２は、登録されている受信装置の録画／視聴の状態を監視し、これを制御する機能を有している。本実施形態のおいては受信装置Ａ−１（６）乃至Ｂ−２（１１）ある管理対象の同一グループに割り当てられているものとする。予約管理サーバ２は受信装置Ａ−１（６）乃至Ｂ−２（１１）それぞれの機器の予約の状態を受け取り、例えばある時刻のサブネットワークの帯域の使用状態が所定量を超えるような場合には、このサブネットワーク内の受信装置が実行する処理を、他のサブネットワーク内の受信装置に代行させるべく、帯域オーバーをしているサブネットワーク内の受信装置の予約を取り消させ、他のサブネットワーク内の機器に取り消した予約処理を実行させる。この機能を実行するための、予約管理サーバ２内の機能構成ブロックそれぞれについて、以下で説明する。
【００２９】
更新部２１は、登録されている受信装置の視聴／録画予約の状況を、ネットワーク３を介して取得（受信）し、これに基づいて録画・視聴予約ＤＢ（Data Base）２２内の録画・視聴予約テーブルを更新する機能を有している。同一のグループに登録されている装置Ａ−１（６）乃至Ｂ−２（１１）は、ユーザより視聴／録画予約を受けると、予約管理サーバ２に対して現状の自装置の予約情報を送信し、更新部２１はこれに基づいて録画・視聴予約テーブルを更新する。なお、ここでの装置Ａ−１（６）乃至Ｂ−２（１１）の予約情報の送信方法としては、所定時間毎に全ての予約情報を予約管理サーバ２に対して送信するとしてもよいし、予約情報をユーザが変更したときに、この変更された差分に関する情報のみを送信するとしてもよい。
【００３０】
録画・視聴予約ＤＢ２２は、コンテンツ配信事業者が契約している受信装置の予約情報を纏めた録画・視聴予約テーブルが記録されている。この録画・視聴予約テーブルについては図５を用いて後述にて詳細に説明を行う。
【００３１】
判別部２３は、録画・視聴予約テーブルに新たな予約処理が更新された場合、予約処理が追加された機器にて、予約されている処理を全て実行させるか、それとも予約されている処理の一部を他のサブネットワーク内の受信装置に代行させるかを判別する機能を有している。判別部２３が行う、判別は予約が新たに追加された受信装置が属するサブネットワークの帯域制限に基づいて行われる。
【００３２】
機器ＩＤグループ管理ＤＢ２４は、登録されている機器（受信装置）の各種情報を纏めた機器ＩＤグループ管理テーブルを有している。機器ＩＤグループ管理テーブルについては図４を用いて後述にて詳細に説明を行う。
【００３３】
制御部２５は、判別部２３が録画・視聴予約テーブルに新たな予約処理が更新されたときに、予約されている処理の一部を他のサブネットワーク内の受信装置に代行させると判別すると、機器ＩＤグループ管理テーブルの情報を参照して、代行させる機器を決定し、録画・視聴予約テーブルを変更する機能を有している。また、変更した録画・視聴予約テーブル内の処理を実行させる指示を、受信装置に対して送信する機能を有している。
【００３４】
ここで、機器ＩＤグループ管理テーブルについて図４に示す。
【００３５】
図４は本実施形態における機器ＩＤグループ管理テーブル２４１の内容の一例を示す概念図である。
【００３６】
機器ＩＤグループ管理テーブル２４１は、コンテンツ配信先の契約者単位で纏められており、予約管理サーバ２は、ある受信装置の予約処理を変更する必要が生じた場合には、同一機器ＩＤグループ管理テーブル２４１内であって他のサブネットワーク内の機器に処理を代行させる。
【００３７】
機器ＩＤは予約管理サーバ２が受信装置を識別するためのＩＤであり、コンテンツサーバ１より映像コンテンツを受信可能な全受信装置に対して、それぞれ一意に割り当てられ、受信装置の製造ラインにて受信装置が備える不揮発性メモリ等に蓄積される。
【００３８】
ＩＰアドレスは、インターネットプロトコル（Internet Protocol）によって割り当てられた受信装置のＩＰアドレスである。
【００３９】
ネットワークアドレスは。受信装置が属するサブネットワークのアドレスである。
【００４０】
ティアビットは受信装置がコンテンツサーバより送出されるコンテンツのチャンネルに対応するライセンスの有無であり、下位ビットから順に１乃至８チャンネルのライセンスの有無を示している。ビットが１の時は当該チャンネルに対するライセンスが受信装置に対して付与されており、受信装置が当該チャンネルのコンテンツを録画、視聴することができる。またビットが０である場合には受信装置は当該チャンネルのコンテンツを録画、視聴できない。
【００４１】
予約管理サーバ２は契約時またはそれぞれの受信装置との接続時にこれらの情報を機器ＩＤグループ管理テーブル２４１に登録／更新する。
【００４２】
図５は本実施形態における録画・視聴予約テーブル２２１の一例を示す概念図である。
【００４３】
録画・視聴予約テーブル２２１は各受信装置の視聴／録画予約の状況が纏められたテーブルである。
【００４４】
予約種別は、それぞれの機器が予約されている処理の種別を示し、本実施形態では録画、視聴、ムーブ（送信）、ムーブ（受信）のいずれかである。
【００４５】
予約開始日時、予約終了日時はそれぞれ予約種別に対応した処理の開始日時終了日時である。
【００４６】
チャンネルは映像コンテンツの受信チャンネルでマルチキャストのグループアドレスにより一意に決定される。
【００４７】
画質はＨＤ（High Definition）またはＳＤ（Standard Definition）のいずれかで、使用帯域の計算に利用される。本実施形態ではＨＤの場合の使用帯域は15Mbpsであり、ＳＤの場合の使用帯域は5Mbpsであるものと仮定して、サブネットワークの使用帯域が算出される。
【００４８】
機器ＩＤは、それぞれの処理を実行する受信装置のＩＤが示されている。
【００４９】
ここでは受信装置Ａ−１（６）にＨＤで２０１１年４月１日１９：００〜２０：００の時間帯にチャンネル１を録画するように録画が予約されており、また、受信装置Ａ−２（７）にＳＤで２０１１年４月１日１９：３０〜２０：３０の時間帯にチャンネル２を視聴できるように表示する処理が予約されている。
【００５０】
次に本実施形態における予約管理処理について説明を行う。
【００５１】
図６は本実施形態における予約管理処理の一例を示すフロー図である。以下では図６の処理フローの説明と併せて録画・視聴予約テーブル２２１の更新状況についても図７乃至図１１を用いて説明する。
【００５２】
また、ユーザより所定の予約指示を受けた受信装置と、予約管理サーバ２の実行する処理について説明を行う。
【００５３】
まず、例えば受信装置Ａ−１（６）がユーザより予約を受け付けると（ステップＳ１）、予約管理部６１は予約の管理リストを更新し、受け付けた予約を登録する（ステップＳ２）。
【００５４】
次に予約管理部６１は予約管理サーバ２に対して、この予約情報を送信する（ステップＳ３）。
【００５５】
予約管理サーバ２は受信装置Ａ−１（６）より予約情報を受信すると（ステップＳ４）、更新部２１が録画・視聴予約テーブル２２１を更新する（ステップＳ５）。ここでの録画・視聴予約テーブル２２１の更新としては、図５に示す録画・視聴予約テーブル２２１から図７に示す録画・視聴予約テーブル２２１への更新のように、更新部２１は単に受信した情報に基づいて録画・視聴予約テーブル２２１を更新する。
【００５６】
また送られてきた情報に機器ＩＤグループ管理テーブル２４１の更新に関する情報が含まれている場合には、機器ＩＤグループ管理テーブル２４１を更新する（ステップＳ６）。
【００５７】
次に、判別部２３が図７に示す録画・視聴予約テーブル２２１および機器ＩＤグループ管理テーブル２４１に基づいて、受信装置Ａ−１（６）が予約を実行した際のサブネットＡ５の使用帯域を計算する（ステップＳ７）。ここでは上述のようにＨＤの場合の使用帯域は15Mbpsであり、ＳＤの場合の使用帯域は5Mbpsであるものと仮定してサブネットＡ５の使用帯域を計算する。つまり、図７の場合にはサブネットＡ５の２０１１年４月１日１９：００〜１９：３０の間の使用帯域は30 Mbps、１９：３０〜２０：００の間の使用帯域は35 Mbps、２０：００〜２０：３０の間の使用帯域は5 Mbpsと算出される。
【００５８】
次に、判別部２３は算出されたサブネットＡ５に使用帯域が、許容の範囲内であるか否かを判別する。つまり、予約を実行した場合サブネットＡ５が帯域不足となってしまうか否かを判別する（ステップＳ８）。映像コンテンツを配信するサービス事業者は、ユーザが高品質な映像コンテンツを受信できるように、同一サブネットワーク内で使用可能な帯域を定義している場合がある。本実施形態では同一サブネットワーク内で使用可能な帯域は30 Mbpsと定義されていると例示して説明を行う。
【００５９】
つまり、サブネットＡ５に使用帯域が許容の範囲内である場合には（ステップＳ８：Ｎｏ）、予約管理サーバ２は受信装置からの予約情報を待ち受ける状態へと戻る。
【００６０】
また、図７で示すように同一サブネットワーク内で使用可能な帯域をオーバーしてしまうような場合には（ステップＳ８：Ｙｅｓ）、制御部２５は受信した予約を他のサブネットワークに属する受信装置に代行させるために、録画予約引継ぎ先のサブネットを選定する（ステップＳ９）。ここでは同グループに属しているサブネットＢ９に使用帯域の余裕があるため、制御部２５はこのサブネットを選定する。
【００６１】
また、制御部２５は次に、録画予約引継ぎ先の受信装置を選定する（ステップＳ１０）。
【００６２】
受信装置Ａ−１（６）について受信した予約は２０１１年４月１日１９：００〜２０：００のチャンネル３のＨＤでの録画であるため、ここではチャンネル３についてライセンスが付与されている受信装置Ｂ−１（１０）を選定する。
【００６３】
ステップＳ１０における引き継ぎ先の受信装置の選定が終了すると、制御部２５は図８で示すように（Ａ―１からＢ−１への変更）、録画・視聴予約テーブル２２１における機器ＩＤを引き継ぎ先の受信装置へと変更する（ステップＳ１１）。
【００６４】
ステップＳ１１終了後、制御部２５は録画・視聴予約テーブル２２１に映像コンテンツのムーブ（移動）処理についての追加登録を行う（ステップＳ１２）。これは予約録画を代行した受信装置から、ユーザから予約指示を受けた受信装置へのムーブ処理である。ステップＳ１１による引継ぎによって他の受信装置が録画を代行した場合、ユーザが予約を指示したのは受信装置Ａ−１（６）には映像コンテンツが記録されておらず、受信装置Ｂ−１（１０）にのみ記録されていることとなる。そこで予約管理サーバ２の制御部２５は、受信装置Ｂ−１（１０）から受信装置Ａ−１（６）への映像コンテンツのムーブを実行するように各機器を制御する。つまり、図９の録画・視聴予約テーブル２２１で示されるように、帯域に余裕がある時間にムーブ処理の予約を追加する。このとき、チャンネルとしてはマルチキャストストリームに対するチャンネルではなく、通信相手の機器ＩＤを登録する。本実施形態においてはムーブ処理を例示して説明するが、これは移動元から映像コンテンツが削除されないコピー処理であっても良い。
【００６５】
次に制御部２５は、受信装置Ａ−１（６）及び受信装置Ｂ−１（１０）に処理を実行するように予約情報を送信する（ステップＳ１３）。ここで制御部２５が送信する情報としては受信装置Ａ−１（６）に対しては、２０１１年４月１日１９：００〜２０：００のチャンネル３のＨＤでの録画を取りやめ、２０１１年４月１日２０：００〜２１：００に受信装置Ｂ−１（１０）からの映像コンテンツのムーブの受信処理を実行するように指示行う。また、受信装置Ｂ−１（１０）に対しては、２０１１年４月１日１９：００〜２０：００のチャンネル３のＨＤでの録画を行い、２０１１年４月１日２０：００〜２１：００に受信装置Ａ−１（６）への映像コンテンツのムーブでの送信処理を実行するように指示行う。このとき、例えば予約管理サーバ２は、予約情報の送信に先立って、Wake on LAN等の仕組みによって、受信装置Ａ−１（６）及び受信装置Ｂ−１（１０）に対して電源の起動指示を行うとしてもよい。
【００６６】
ステップＳ１３にて予約管理サーバ２より、予約情報を受信した受信装置Ａ−１（６）は、これに従って予約リストを変更する（ステップＳ１５）。また、更に受信装置Ａ−１（６）は受信装置Ｂ−１（１０）に対して受信装置Ａ−１（６）のローカル暗号鍵を転送する（ステップＳ１６）。
【００６７】
次に、予約情報を受信した受信装置Ｂ−１（１０）の動作について説明する。受信装置Ｂ−１（１０）は、予約情報を受け取り、予約の自身への登録を行った後に、受信装置Ａ−１（６）からローカル暗号鍵を受信する。受信装置Ｂ−１（１０）は録画が指示された時刻になると、チャンネル３のＨＤでの録画処理を開始し、このとき受信装置Ａ−１（６）から受信したローカル暗号鍵を用いて映像コンテンツに暗号化を施して自身の記憶媒体に格納する。さらに、受信装置Ｂ−１（１０）は２０１１年４月１日２０：００より、受信装置Ａ−１（６）から受信したローカル暗号鍵を用いて暗号化を施した映像コンテンツを受信装置Ａ−１（６）に対してムーブする。ここでのムーブ処理とは、映像コンテンツを送信し、このコンテンツを自身より削除する処理のことを指す。
【００６８】
受信装置Ａ−１（６）は、予約情報に従い、受信装置Ｂ−１（１０）よりムーブで送信された映像コンテンツを受信する。通常のムーブ処理では、受信装置Ａ−１（６）は、受信装置Ｂ−１（１０）のローカル暗号鍵で暗号化されたコンテンツを復号し、受信装置Ａ−１（６）のローカル暗号鍵を用いて際暗号化を実行する必要があるが、本実施形態では受信装置Ｂ−１（１０）が受信装置Ａ−１（６）のローカル暗号鍵を用いてもう既に暗号化してあり、ここでこの処理を省くことができる。
【００６９】
ムーブ処理においては、映像コンテンツの送信先である受信装置Ａ−１（６）、送信元である受信装置Ｂ−１（１０）に接続するため、受信装置Ａ−１（６）は受信装置Ｂ−１（１０）のＩＰアドレスを取得する必要がある。このとき受信装置Ａ−１（６）は予約管理サーバ２へ受信装置Ｂ−１（１０）のＩＰアドレスを取得する必要がある。受信装置Ａ−１（６）が予約管理サーバ２へ受信装置Ｂ−１（１０）のＩＰアドレスを問い合わせ、予約管理サーバ２はコピー可能な機器ＩＤグループ管理テーブル２４１から取得した受信装置Ｂ−１（１０）のＩＰアドレスを送信することで、受信装置Ａ−１（６）は予約管理サーバ２へ受信装置Ｂ−１（１０）のＩＰアドレスを取得することが出来る。
【００７０】
上記の説明においては追加された受信装置Ａ−１（６）の予約内容が録画であった場合を例示しているが、例えば図１０に示されるように追加された予約内容が視聴であるような場合には、視聴予約を他の受信装置に引き継いでしまうとユーザは視聴予約を実施した受信装置で映像コンテンツを視聴することができないので、このように追加された予約内容が視聴であるような場合には、図１１で示すようにこの視聴予約よりも前の録画の予約を他の機器に引き継ぐ。
【００７１】
ここで例えば、サブネットＡ５及びサブネットＢ９の上流のネットワークに十分な帯域がある場合には、受信装置Ｂ−１（１０）から受信装置Ａ−１（６）への映像コンテンツのムーブ処理は不要となり、ユーザは受信装置Ａ−１（６）を操作して受信装置Ｂ−１（１０）に記録された映像コンテンツを視聴することも可能となるため、ムーブ処理を実行する必要が無くなる。
【００７２】
本実施形態では帯域が不十分で受信不可能なマルチキャストストリームコンテンツでも、異なるサブネット上にある受信装置が代わりに録画を行うことで、帯域不足によってコンテンツを録画できないという事態を回避できる。また、録画後にムーブまたはコピーすることで、録画したいコンテンツをユーザが設定した受信装置上に保存することが可能となる。さらに、予約管理サーバ２でコピー可能な機器IDグループ情報を保持することで、サービス事業者が私的複製対象の機器を管理することが可能となる。
【００７３】
また本実施形態では、ムーブ元の録画装置がムーブ先の録画装置のローカル暗号鍵を使用して録画することで、ムーブの際にムーブ先の録画装置における再暗号処理負荷を軽減できる。
【００７４】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００７５】
１…コンテンツサーバ、２…予約管理サーバ、３…ネットワーク、４…ルータＡ、５…サブネットＡ、６…受信装置Ａ−１、７…受信装置Ａ−２、８…ルータＢ、９…サブネットＢ、１０…受信装置Ｂ−１、１１…受信装置Ｂ−２、１２…予約管理システム、２１…更新部、２２…録画・視聴予約ＤＢ、２２１…録画・視聴予約テーブル、２３…判別部、２４…機器ＩＤグループ管理ＤＢ、２４１…機器ＩＤグループ管理テーブル、２５…制御部、６１…予約管理部、６２…記憶部、６３…予約実行部。
【図１】
2012212981.tif 000003
【図２】
2012212981.tif 000004
【図３】
2012212981.tif 000005
【図４】
2012212981.tif 000006
【図５】
2012212981.tif 000007
【図６】
2012212981.tif 000008
【図７】
2012212981.tif 000009
【図８】
2012212981.tif 000010
【図９】
2012212981.tif 000011
【図１０】
2012212981.tif 000012
【図１１】
2012212981.tif 000013